(57)【要約】  使い終わった時のインク残量が少なく、ユーザが容易にインクを再充填でき、構造が簡単で安価に製造できるカートリッジを提供する。  内部がインクを収納する１つの空間となった密閉構造のカートリッジ容器(10)と、容器底面に設けられ、キャリッジの記録ヘッドの負圧を受けることによって記録ヘッドにインクを供給するインク供給口部(14)と、容器底部近傍に開口された始端に連続する部分が上方に延びた後下方に折り返され、その終端がインク供給口部に連通され、記録ヘッドの負圧を受けてインクを案内するインク案内通路(17)と、インク案内通路の上方折り返し部位に設けられ、制御弁が記録ヘッドの負圧を受けて開放されることによりインク案内通路におけるインク供給口部に向かうインクの流通を許容する一方、記録ヘッドの負圧が作用しないときには制御弁がインク案内通路内のインクの逆流を阻止するインク制御弁室(18)とを備える。
2008056736.tif 000002
【特許請求の範囲】
【請求項１】
インクジェット記録装置のキャリッジに搭載されるインクカートリッジにおいて、
密閉構造を有し、内部がインクを貯留する１つの空間となったカートリッジ容器と、
該カートリッジ容器の上面に形成され、上記カートリッジ容器内にインクを注入するためのインク注入口と、
上記カートリッジ容器の底面に設けられ、上記キャリッジの記録ヘッドの負圧を受けることによって上記記録ヘッドにインクを供給するインク供給口部と、
上記カートリッジ容器内に設けられ、始端が上記カートリッジ容器の底部近傍に開口され、該始端に連続する部分が上方に延びた後下方に折り返され、その終端が上記インク供給口部に連通され、上記記録ヘッドの負圧が上記インク供給口部に作用したときに上記カートリッジ容器内の底部から上記インク供給口部に向けてインクを案内するインク案内通路と、
該インク案内通路の上方折り返し部位に設けられ、上記記録ヘッドの負圧に応動する制御弁を有し、該制御弁が上記記録ヘッドの負圧を受けて開放されることにより上記インク案内通路におけるインク供給口部に向かうインクの流通を許容する一方、上記記録ヘッドの負圧が作用しないときには上記制御弁が上記インク案内通路内のインクの逆流を阻止するインク制御弁室と、
を備えたことを特徴とするインクジェット記録装置用インクカートリッジ。
【請求項２】
上記インク制御弁室は、中央にインクの流通穴が形成された弁座と、外側部分に流通穴が形成された制御弁と、弁座又は制御弁に弁座の流通穴を囲むように形成された仕切り壁部とを備え、
インク圧を受けた制御弁と仕切り壁とが弁座の流通穴を封鎖し、制御弁側から弁座の流通穴へのインクの逆流が阻止される一方、制御弁が記録ヘッドからの負圧を受けると、制御弁又は仕切り壁が弁座の流通穴を開放し、弁座の流通穴からのインクが制御弁の流通穴を通って流通することを許容するように構成されている請求項１記載のインクジェット記録装置用インクカートリッジ。
【請求項３】
上記インク案内通路の始端とインク制御弁室との間に設けられ、インクの異物を濾過するフィルター室を更に備えた請求項１記載のインクジェット記録装置用インクカートリッジ。
【請求項４】
上記インク注入口を上記インク案内通路のフィルター室とインク制御弁室との間の部位に接続し、上記注入されたインクを上記インク案内通路の始端を介して上記カートリッジ容器の内部に導入する第１のインク導入通路と、
上記インク注入口を上記インク案内通路のインク制御弁室とインク供給口部との間に接続し、上記注入されたインクの一部を上記インク案内通路のインク制御弁室とインク供給口部との間の部分に導入する第２のインク導入通路と、
上記インク注入口に着脱可能に嵌入されて上記インク注入口及び上記第２のインク導入通路を閉鎖する栓と、
を更に備えた請求項１記載のインクジェット記録装置用インクカートリッジ。
【請求項５】
上記カートリッジ容器の上部に形成されたエアー導入口と、
該エアー導入口に連通して設けられ、上記カートリッジ容器内部の負圧に応動する制御弁を有し、該制御弁が上記カートリッジ容器内部の負圧を受けて開放されることによって上記エアー室のエアーがカートリッジ容器内に向けて吸引されるのを許容するエアー制御弁室と、
上記吸引されたエアーをカートリッジ容器内部に案内するエアー案内通路と、    
を更に備えた請求項１記載のインクジェット記録装置用インクカートリッジ。
【請求項６】
上記エアー制御弁室は、中央にエアーの流通穴が形成された弁座と、外側部分に流通穴が形成された制御弁と、弁座又は制御弁に弁座の流通穴を囲むように形成された仕切り壁部とを備え、
インク圧を受けた制御弁と仕切り壁とが弁座の流通穴を封鎖し、制御弁側から弁座の流通穴へのインクの逆流が阻止される一方、制御弁が記録ヘッドからの負圧を受けると、制御弁又は仕切り壁が弁座の流通穴を開放し、弁座の流通穴からのエアーが制御弁の流通穴を通って流通することを許容するように構成されている請求項５記載のインクジェット記録装置用インクカートリッジ。
【請求項７】
インク注入口が上記エアー案内通路の途中に開口され、インク注入時にポンプの注入口部によって上記エアー案内通路のエアー制御弁室側が封鎖されるようになした請求項１記載のインクジェット記録装置用インクカートリッジ。
【請求項８】
上記エアー制御弁室には制御弁を押さえる弁蓋が設けられ、該弁蓋には制御弁を通過したエアーをエアー案内通路に案内するがエアー案内通路を逆流してきた逆流インクがエアー制御弁室内に侵入するのを抑制する形状のエアー通路が形成されている請求項５記載のインクジェット記録装置用インクカートリッジ。
【請求項９】
上記エアー案内通路には逆流インクを止めるインク溜まりが形成されている請求項８記載のインクジェット記録装置用インクカートリッジ。
【請求項１０】
上記エアー案内通路が上記カートリッジ容器内部のエアー制御弁室から下方に向けて延び折り返されてその上端の開口によって上記カートリッジ容器内部に連通されている請求項５記載のインクジェット記録装置用インクカートリッジ。
【発明の詳細な説明】
【技術分野】
【０００１】
この発明はインクジェット記録装置用インクカートリッジに関し、特に使い終わった時のインク残量が少なく、しかも構造が簡単で安価に製造できるようにした構造のカートリッジに関する。
【背景技術】
【０００２】
インクジェット記録装置では記録ヘッドを備えたキャリッジにインクカートリッジを着脱可能に搭載し、キャリッジを紙幅方向に往復動させながら、印刷信号に応じて記録ヘッドからインク滴を吐出させるという方式が広く採用されている。【０００３】
通常、この種のインクカートリッジでは、インク残量に影響されずに均一な量のインクを記録ヘッドに供給できること、インクを供給するために記録ヘッドが損傷を受けるような大きな負圧を必要としないこと、及び使い終わった時にカートリッジ内のインク残存量が少ないこと、などが要求される。【０００４】
そこで、カートリッジ容器の底面にインク供給口部を形成し、カートリッジ容器の内部を仕切り壁によって上下の空間に分割し、上側空間の底部と下側空間の底部との間を吸上げ通路で連通させるとともに、インク供給口部と上側空間との間をインク流通路で接続し、インク流通路の途中に差圧弁を配置し、カートリッジ容器の底面に下側空間及び吸上げ通路に開口する第１、第２の注入口を形成し、第１、第２の注入口から下側空間及び上側空間にインクを注入した後、第１、第２の注入口をフィルムなどで封鎖するようにした構造のインクカートリッジが開発され、実用化されている（特許文献１、特許文献２）。【０００５】
上述の構造のインクカートリッジでは記録ヘッドの負圧によって差圧弁が開放されて上側空間内のインクがインク流通路を経てインク供給口に供給されるとともに、キャピラリー通路によって制限された量のエアーがカートリッジ容器上面のエアー取入れ口から上側空間及び下側空間に補給され、又下側空間のインクが吸上げ通路によって上側空間に吸い上げられ、インクに混入した気泡が上側空間内で分離されることによって、記録ヘッドに供給するインクに気泡が含まれないようになっており、従来公知のインクカートリッジに比してインク供給の均一性、記録ヘッドへの非損傷性、耐久性及びインク残量の点で優れている。【０００６】
【特許文献１】特許第３５９６６１１号公報
【特許文献２】特許第３６８５２６２号公報
【発明の開示】
【発明が解決しようとする課題】
【０００７】
しかし、上記特許文献１、２記載のインクカートリッジでは記録ヘッドの負圧を利用して下側空間内のインクを上側空間内に一旦吸い上げた後、上側空間からインク供給口部に供給するという構造が採用されているので、使い終わった時には上側空間の底部のだけでなく、下側空間の底部にもインクが残存し、インクの残存量の点で未だ改善の余地があった。さらに、カートリッジ容器の内部構造が複雑で、製造コストが高くなるという問題もあった。【０００８】
本発明はかかる問題点に鑑み、使い終わった時のインク残量が少なく、しかも構造が簡単で安価に製造できるようにしたインクジェット記録装置用インクカートリッジを提供することを課題とする。
【課題を解決するための手段】
【０００９】
そこで、本発明に係るインクジェット記録装置用インクカートリッジは、インクジェット記録装置のキャリッジに搭載されるインクカートリッジにおいて、密閉構造を有し、内部がインクを収納する１つの空間となったカートリッジ容器と、該カートリッジ容器の上面に形成され、上記カートリッジ容器内にインクを注入するためのインク注入口と、該カートリッジ容器の底面に設けられ、上記キャリッジの記録ヘッドの負圧を受けることによって上記記録ヘッドにインクを供給するインク供給口部と、上記カートリッジ容器内に設けられ、始端が上記カートリッジ容器の底部近傍に開口され、該始端に連続する部分が上方に延びた後下方に折り返されて延び、その終端が上記インク供給口部に連通され、上記記録ヘッドの負圧が上記インク供給口部に作用したときに上記カートリッジ容器内の底部から上記インク供給口部に向けてインクを案内するインク案内通路と、該インク案内通路の上方折り返し部位に設けられ、上記記録ヘッドの負圧に応動して開閉する制御弁を有し、該制御弁が上記記録ヘッドの負圧を受けて開放されることにより上記インク案内通路におけるインク供給口部に向かうインクの流通を許容する一方、上記記録ヘッドの負圧が作用しないときには上記制御弁が上記インク案内通路内のインクの逆流を阻止するインク制御弁室と、を備えたことを特徴とする。【００１０】
本発明の特徴の１つはカートリッジ容器内をインクを収納する１つの空間に構成し、インク流通通路の始端をカートリッジ容器内の底部に開口させ、該インク流通通路を上方に延設し下方に折り返して延設した後、カートリッジ容器内の底部のインク供給口部に接続するようにした点にある。【００１１】
これにより、カートリッジ容器の内部構造は特許文献１、２のカートリッジ容器に比して簡単となり、安価に製造することができる。しかも、使い終わった時のインクの残存量はカートリッジ容器底部に残ったインクだけとなるので、インク残存量を特許文献１、２のカートリッジ容器に比して大幅に減少させることができる。【００１２】
また、カートリッジ容器内をインクを収納する１つの空間に構成し、しかもインク案内通路をシンプルな逆Ｕ字状とし、記録ヘッドの負圧によってインクを吸い出すようにしているので、インクを供給するために記録ヘッドの大きな負圧を必要とせず、記録ヘッドを損傷するおそれが少ない。【００１３】
さらに、カートリッジ容器内のインクの液圧がインク供給口部に直接作用しないので、記録ヘッドに対するインク供給量はカートリッジ容器内のインク液面高さにほとんど影響されず、記録ヘッドの負圧のみに依存して均一にコントロールできる。特に、インク供給量に対するカートリッジ容器内のインク液面高さの変動の影響を少なくする上で、インク案内通路はカートリッジ容器の上面近傍まで延びて折り返すようにするのがよい。【００１４】
ところで、引用文献１、２記載のインクカートリッジではエアーがキャピラリー通路によってカートリッジ容器内に供給されているので、インク供給口部のシール性が優れていないと、インク供給口部からインクが洩れるおそれがある。【００１５】
本発明の第２の特徴はインク案内通路の上方折り返し部位にインク制御弁室を設け、記録ヘッドの負圧を受けたときのみ制御弁を開放し、インク案内通路内のインク供給口部に向かうインクの流通を許容し、それ以外のときは制御弁を閉鎖してインクの逆流を遮断するようにした点にある。【００１６】
これにより、記録ヘッドからの負圧が作用していないときにはインク供給口部の構造に関係なく、インク供給口部からインクが洩れ出るおそれが少ない。【００１７】
インク制御弁室は、制御弁が記録ヘッドの負圧に応動して開閉される構造であればよい。例えば、インク制御弁室は弁座と制御弁とを１つの支軸に支持し、制御弁を記録ヘッドの負圧に応動させ、弁座の流通穴を制御弁で開閉する方式でもよいが、制御弁の閉鎖時に弁座に面で密着させる必要がある。【００１８】
他方、インク制御弁室を、中央にインクの流通穴が形成された弁座と、外側部分に流通穴が形成された制御弁と、弁座又は制御弁に弁座の流通穴を囲むように形成された仕切り壁部とを備え、インク圧を受けた制御弁と仕切り壁とが弁座の流通穴を封鎖し、制御弁側から弁座の流通穴へのインクの逆流が阻止される一方、制御弁が記録ヘッドからの負圧を受けると、制御弁又は仕切り壁が弁座の流通穴を開放し、弁座の流通穴からのインクが制御弁の流通穴を通って流通することを許容するように構成すると、制御弁と仕切り壁又は仕切り壁と弁座とが仕切り壁の上縁で線状に接触し、面接触にて流通穴を開閉する前述の構造に比して性能が優れている。【００１９】
上述のように、本発明の主たる特徴の１つはカートリッジ容器内をインクを貯留する１つの空間に構成した点にあるが、カートリッジ容器の製造に用いる材料、例えば合成樹脂材料の特性上、カートリッジ容器内部を単に１つの空間に構成すると、強度的に弱く、側壁面が強く押さえられると破損するおそれがある。【００２０】
そこで、カートリッジ容器の内部に補強壁を部分的に設けて強度を保証し、又補強壁が設けられていない箇所でインク及びエアーを流通させるのがよい。【００２１】
最近の記録ヘッドは精緻な印字や印刷をできるようになっていることから、インクにごみや空気などの異物が含まれていると記録ヘッドが詰まってしまうおそれがある。そこで、インク案内通路にフィルター室を設け、インク案内通路を介してカートリッジ容器内にインクを充填し、フィルター室によってインクの異物を濾過するのがよいが、このフィルター室はインク案内通路の始端とインク制御弁室との間に設けるのが好ましい。【００２２】
上述のように、インク案内通路の始端とインク制御弁室との間にフィルター室を設けると、顔料インクの場合にインク充填時にフィルターによって顔料粒子がインクに均一に分散され、顔料インクの色の品質を保証できるばかりでなく、記録ヘッドにおける目詰まりを未然に防止できる。【００２３】
また、インク案内通路を介してカートリッジ容器内にインクを充填するようにすると、インク案内通路のインク制御弁室とインク供給口部との間の部分にはインクが廻り込み難くなる。そこで、下記の構成によってインクの充填を行うようにするのがよい。【００２４】
即ち、カートリッジ容器の上面に形成され、カートリッジ容器内にインクを注入するためのインク注入口と、インク注入口をインク案内通路のフィルター室とインク制御弁室との間の部位に接続し、注入されたインクをインク案内通路の始端を介してカートリッジ容器の内部に導入する第１のインク導入通路と、インク注入口をインク案内通路のインク制御弁室とインク供給口部との間に接続し、注入されたインクの一部をインク案内通路のインク制御弁室とインク供給口部との間の部分に導入する第２のインク導入通路と、インク注入口に着脱可能に嵌入されてインク注入口及び第２のインク導入通路を閉鎖する栓と、を更に備えるのがよい。【００２５】
このように、第２のインク導入通路を設け、インク案内通路のインク制御弁室とインク供給口部との間の部分に注入インクの一部を導入するようにすると、カートリッジ容器内の隅々までインクを充填でき、インク案内通路やインク制御弁室にエアーが残存するおそれがない。【００２６】
特許文献１、２記載のインクカートリッジのように、キャピラリー通路によって調整された量のエアーをカートリッジ容器内に供給するようにすると、インク供給口部を高いシール性の構造に構成する必要があることから、インク供給口部の構造に影響されることなく、カートリッジ容器内に必要な量のエアーを供給できるようにしたエアー供給方式が求められる。特に、上述のように、制御弁をインクカートリッジ内の負圧に応動して開閉させようとすると、カートリッジ容器内を一定の圧力に正確に制御し得るエアー供給方式が求められる。【００２７】
そこで、カートリッジ容器の上部に形成されたエアー導入口と、エアー導入口に連通して設けられ、カートリッジ容器内部の負圧に応動して開閉する制御弁を有し、制御弁がカートリッジ容器内部の負圧を受けて開放されることによってエアー室のエアーがカートリッジ容器内に向けて吸引されるのを許容するエアー制御弁室と、吸引されたエアーをカートリッジ容器内部に案内するエアー案内通路と、を更に備えるのがよい。【００２８】
このように、カートリッジ容器内の負圧に応動する制御弁によってエアーをカートリッジ容器内に導入するようにすると、通常はカートリッジ容器内の圧力を受けて制御弁が閉鎖され、カートリッジ容器内へのエアーの導入を遮断できるので、インク供給口部のシール性に影響されることなくインク洩れを防止できる。【００２９】
エアー制御弁室は、制御弁がカートリッジ容器内部の負圧を受けて開放されることによってエアー室のエアーがカートリッジ容器内に向けて吸引されるのを許容する構造であればよい。例えば、エアー制御弁室は、中央にエアーの流通穴が形成された弁座と、外側部分に流通穴が形成された制御弁と、弁座又は制御弁に弁座の流通穴を囲むように形成された仕切り壁部とを備え、インク圧を受けた制御弁と仕切り壁とが弁座の流通穴を封鎖し、制御弁側から弁座の流通穴へのインクの逆流が阻止される一方、制御弁が記録ヘッドからの負圧を受けると、制御弁又は仕切り壁が弁座の流通穴を開放し、弁座の流通穴からのエアーが制御弁の流通穴を通って流通することを許容するように構成できる。【００３０】
また、上述のようにカートリッジ容器の隅々までインクを充填でき、カートリッジ容器内のインク残量を少なくできる構造となるので、カートリッジ容器内にインクを再充填することもでき、リサイクル性に優れた構造のインクカートリッジを提供することができる。このインクの再充填には本件出願人の開発に係るインク補給用ポンプを用いることができる（特開２００７−１４４７６５公報、参照）。【００３１】
カートリッジ容器内のインク残量を少なくする上で、インク案内通路の始端がカートリッジ容器底部の最低位置となるように構成するのが好ましい。そこで、カートリッジ容器の底部にはインク案内通路の始端が底部の最低位置となるように傾斜面を形成するのがよい。【００３２】
インク注入口をエアー案内通路の途中に開口させ、インク注入時にポンプの注入口部によってエアー案内通路のエアー制御弁室側を封鎖するように構成すると、インクの逆流を少なくできる。【００３３】
さらに、エアー制御弁室では制御弁を押さえる弁蓋を設け、弁蓋の裏面に制御弁を通過したエアーをエアー案内通路に案内するがエアー案内通路を逆流してきた逆流インクがエアー制御弁室内に侵入するのを抑制する形状のエアー通路を形成するのが好ましい。エアー案内通路には逆流インクを止めるインク溜まりを形成するのが好ましい。【００３４】
インク供給口部は記録ヘッドの負圧によってインクを供給することができれば特に構造は限定されないが、何らかの理由でインクカートリッジをキャリッジから外したときにインク供給口部からインクが洩れ出ないような構造を採用する必要がある。例えば、特許文献１、２記載のインクカートリッジのように、ばね部材で付勢した弁で供給口を閉鎖し、キャリッジのインク供給針によって弁を開放してインクを供給するようにした構造が採用できる。【００３５】
しかし、例えば真空ポンプを使って減圧方式でインクを充填するとき、カートリッジ内の気圧が下がり、ばね部材でインク供給口部を閉鎖する方式ではばね部材が引き上げられ、インク供給口部より空気が入り、インクを充填することができない。また、インク供給針を抜いたときに弁が傾いて周囲の構造部分と干渉し、閉鎖機能が損なわれてしまうおそれがある。【００３６】
そこで、インク供給口部は記録ヘッドのインク供給針が挿通し得る筒状部材の両側を、中央にスリットが形成された可撓性シート、例えばシリコン製シートやゴム製シートで挟持して構成するようにすると、インク供給針を抜いたときに可撓性シートのスリットが閉じて筒状部材の両端開口を封鎖するので、インク洩れが発生することはない。
【図面の簡単な説明】
【００３７】
【図１】本発明に係るインクジェット記録装置用インクカートリッジの好ましい実施形態においてカートリッジ容器を一方から見たときの内部構造を概略的に示す分解斜視図である。
【図２】上記カートリッジ容器を他方から見たときの図である。
【図３】上記カートリッジ容器を他方から見たときの内部構造を概略的に示す斜視図である。
【図４】上記カートリッジ容器を他方から見たときの内部構造を概略的に示す図である。
【図５】上記カートリッジ容器を一方から見たときの内部構造を概略的に示す図である。
【図６】上記実施形態における他のエアー制御弁室内の制御弁の構造及び挙動を模式的に示す図である。
【図７】更に他のエアー制御弁室を構造を示す図である。
【図８】上記実施形態におけるインク供給口部の構造を示す図である。
【図９】上記実施形態におけるインク供給口部のキャップを示す図である。
【図１０】上記実施形態においてインク供給口部をキャップで取付けた状態を説明するための図である。
【図１１】上記実施形態のカートリッジ容器を種類の異なるキャリッジに搭載するときの補助パーツを示す図である。
【図１２】上記実施形態においてインクを注入するときの状態を示す図である。
【図１３】インクに注入に用いる注入ポンプを示す図である。
【図１４】第２の実施形態においてカートリッジ容器を一方から見たときの内部構造を概略的に示す分解斜視図である。
【図１５】上記カートリッジ容器を一方から見たときの斜視図である。
【図１６】上記カートリッジ容器を他方から見たときの内部構造を概略的に示す斜視図である。
【図１７】上記カートリッジ容器のエアー制御弁室及びエアー案内通路の構造を示す図である。
【図１８】上記エアー制御弁室における弁蓋を示す図である。
【図１９】インク供給口部の構造を示す図である。
【図２０】上記実施形態における遮断弁２３Ａ’の形状を示す図である。
【図２１】上記実施形態おけるキャップ２３’の形状を示す図である。
【図２２】上記実施形態においてインクを注入するときの一方から見た状態を示す図である。
【図２３】上記実施形態においてインクを注入するときの他方から見た状態を示す図である。
【符号の説明】
【００３８】
１０      カートリッジ容器                １１      本体
１３      補強壁
１４      インク供給口部                  １７      インク案内通路
１７Ｂ    始端                            １８      インク制御弁室
１８Ｄ    制御弁                          １９      フィルター室
１９Ｂ    フィルター                      ２０      インク注入口
２１      第１のインク導入通路            ２２      第２のインク導入通路
２４      エアー室                        ２５      エアー制御弁室
２５Ｃ    制御弁                          ２６      エアー案内通路
【発明を実施するための最良の形態】
【００３９】
以下、本発明を図面に示す具体例に基づいて詳細に説明する。図１ないし図１３は本発明に係るインクジェット記録装置用インクカートリッジの好ましい実施形態を示す。図において、カートリッジ容器１０は四角形状の合成樹脂製の本体１１とカバー１２とから構成され、カートリッジ容器１０の本体１１は一側面が開放されるとともに他側面が樹脂製の壁面１１Ｆで封鎖された断面凹状をなし、本体１１の一側面には非透液性の合成樹脂フィルムが全面にわたって貼り付けられてシールされ、その上からカバー１２が嵌め合わされ、カバー１２の突起（図示せず）を本体１１の係止孔１１Ｇに嵌入させることによってカバー１２が本体１１に着脱可能に取付けられている。【００４０】
カートリッジ容器１０の本体１１の他方の壁面１１Ｆにはスリット１１Ｄが適宜形成され、該スリット１１Ｄは非透液性の合成樹脂フィルムによって封鎖され、これによってカートリッジ容器１０は密閉構造に製作され、スリット１１Ｄによってインクの流れを確認できるようになっている。【００４１】
カートリッジ容器１０の本体１１の内部の上下方向のほぼ中央には複数、例えば４枚の補強壁１３が横方向に延びかつ相互に間隔をあけて形成され、補強壁１３の対向する端部１３Ａは斜め下向きに折り曲げられてインク及びエアーを上下方向に流通させ、これによって上側の空間と下側の空間を１つの空間として機能させるようになっている。【００４２】
カートリッジ容器１０の本体１１の底面には取付け凹部１４Ｇが形成され、取付け凹部１４Ｇにはインク供給口部１４がセットされ、合成樹脂製又はゴム製のキャップ１５によってセットした状態に保持されている。このインク供給口部１４は図８に示されるように、筒状部材１４Ａの上下両面を例えばシリコンゴム製の可撓性シート１４Ｂ、１４Ｃで挟持して構成され、可撓性シート１４Ｂ、１４Ｃの中央にはスリット１４Ｄが形成され、スリット１４Ｄ及び筒状部材１４Ａの挿通穴にはキャリッジのインク供給針１６が挿通されるようになっている。【００４３】
また、キャップ１５は図９に示されるように、円筒状の本体１５Ａの両側にベース１５Ｂを突設しかつ左右のベース１５Ｂに支柱１５Ｃを立設して構成されている。他方、カートリッジ容器１０の本体１１の底面の取付け凹部１４Ｇには図８に示されるように、円筒状の受け凹部１４Ｊが形成され、その両側には小径円筒状の受け柱１４Ｈが形成され、受け凹部１４Ｊ内にインク供給口部１４が挿入され、キャップ１５の本体１５Ａを受け凹部１４Ｊに外嵌させるとともに、支柱１５Ｃが受け柱１４Ｈに差し込まれ、これによってキャップ１５はインク供給口部１４をセットした状態に保持している。【００４４】
カートリッジ容器１０の本体１１の内部には凹溝１７Ａが本体１１の底辺から上辺まで延びた後下方に折り返されて底辺まで延びるように形成され、該凹溝１７Ａの開口が上述の非透液性の合成樹脂フィルムによってシールされることによりインク案内通路１７が構成されている。【００４５】
このインク案内通路１７の一端（終端）はインク供給口部１４に連通される一方、他端（始端）はカートリッジ容器１０の本体１１内の底部近傍に開口１７Ｂによって連通され、カートリッジ容器１０の本体１１内の底部には開口１７Ｂがカートリッジ容器１０の本体１１内の底部の最低位置となるように傾斜面が形成されている。【００４６】
また、インク案内通路１７の上端折り返し部分には円形の凹所１８Ａが形成され、凹所１８Ａは隔壁（弁座）１８Ｂによって厚み方向に２つに区画され、隔壁１８Ｂには複数の連通孔１８Ｃが形成され、又隔壁１８Ｂによって区画された凹所１８Ａ内のインク供給口部１４側に連通する空間には連通孔１８Ｃを封鎖するように制御弁１８Ｄが配置されて支軸によって遊動可能に支持されており、こうしてインク制御弁室１８が構成されている。【００４７】
さらに、インク案内通路１７の上方折り返し部分はインク制御弁室１８の頂上から接線方向に延びた後下方に折り返され、下方折り返し部分の途中には四角形状の凹所１９Ａが形成され、該凹所１９Ａにはフィルター１９Ｂが凹所１９Ａを厚み方向に２つに区画するように配置されており、こうしてフィルター室１９が構成されている。【００４８】
カートリッジ容器１０の本体１１の上面にはインク注入口２０が開口され、インク注入口２０は第１のインク導入通路２１によってインク案内通路１７のフィルター室１９とインク制御弁室１８との間の部位に接続され、インク注入口２０から注入されたインクがインク案内通路１７の始端１７Ｂを介してカートリッジ容器１０の本体１１の内部に導入されるようになっている。【００４９】
また、カートリッジ容器１０の本体１１の内部には第２のインク導入通路２２が形成され、該第２のインク導入通路２２はインク注入口２０をインク案内通路１７のインク制御弁室１８とインク供給口部１４との間に接続し、インク注入口２０から注入されたインクの一部をインク案内通路１７のインク制御弁室１８とインク供給口部１４との間の部分に導入するようになっている。【００５０】
このインク注入口２０及び第２のインク導入通路２２の始端はゴムキャップ（栓）２３が嵌め込まれて封鎖されるようになっている。【００５１】
また、カートリッジ容器１０の本体１１の内部上側には四角形状のエアー室２４が形成され、エアー室２４はエアー通路（エアー導入口）２４Ａの底面に形成された小径、例えば直径１ｍｍの連通穴２４Ｂによって大気に連通され、又エアー室２４にはエアー制御弁室２５が連通して形成されている。このエアー制御弁室２５は隔壁（弁座）２５Ｃ及び制御弁２５Ａによって２つに区画され、制御弁２５Ａは支軸２５Ｂによって隔壁２５Ｃに遊動可能に支持され、隔壁２５Ｃには複数の連通孔が形成されている。【００５２】
また、エアー制御弁室２５にはエアー案内通路２６が連通して配置され、エアー案内通路２６は上方に延びてカートリッジ容器１０の本体１１内のインク液面の最高高さを越える位置に連通孔２６Ｄが形成され、該連通孔２６Ｄは第２の連通孔２６Ｅと連通され、該第２の連通孔２６Ｅは下方に折り返された通路に接続され、この通路の終端の連通孔２６Ａはカートリッジ容器１０の本体１１内に開口されている。【００５３】
エアー制御弁室２５は図１ないし図５の方式に代え、図６又は図７に示されるように方式を採用することも可能である。図６において、弁座２５Ｃ''には環状の仕切り壁２５Ｄ''が形成されるとともに、その中央には流通孔２４Ａ''が形成され、制御弁２５Ａ''には仕切り壁２５Ｄ''の外側に位置して連通孔が形成され、又制御弁２５Ａ''は弁蓋２５Ｅ''によって押さえられて保持されている。このエアー制御弁室２５''では弁蓋２５Ｅ''側からインクが逆流しようとすると、制御弁２５Ａ''が  仕切り壁２５Ｄ''に密着してインクの逆流を遮断し、又カートリッジ容器１０の本体１１内の負圧が制御弁２５Ａ''に作用すると、制御弁２５Ａ''が仕切り壁２５Ｄ''から離れ、エアーは流通孔２４''から制御弁２５Ａ''の流通孔を通ってカートリッジ容器１０の本体１１内に吸引されるようになっている。【００５４】
図７に示されるエアー制御弁室２５''' では環状の仕切り壁２５Ｆ''' が制御弁２５Ａ''' に形成されており、このように仕切り壁２５Ｆ''' は制御弁２５Ａ''' に形成して同様の作用を奏する。なお、インク制御弁室１８についてもエアー制御弁室２５''、２５''' と同様の構造を採用することができる。【００５５】
さらに、カートリッジ容器１０では本体１１の両側部にＩＣチップの取付け部１１Ａ、１１Ｂが形成され、一方の取付け部１１Ｂには制御ＩＣを搭載したブロック２８が嵌め込まれ、他方の取付け部１１Ａには補助パーツ２９が取付けられている。種類の異なるキャリッジに本例のカートリッジ容器１０を搭載する場合には制御ＩＣを搭載したブロック２８を他方の取付け部１１Ａに取付け、一方の取付け部１１Ｂには補助パーツ３０を取付けることによって一種類のカートリッジ容器１０を種類の異なるキャリッジに使用できるようにしている。【００５６】
また、カートリッジ容器１０の本体１１の一側部にはカートリッジ容器１０をキャリッジに搭載したときにがたつかないように付勢力を付与する弾性レバー３１が取付けられている。この弾性レバー３１の下端部はカートリッジ容器１０の本体１１に形成された取付け凹溝に嵌め込まれ、上部は折り曲げられてカートリッジ容器１０の本体１１に形成されたブリッジに後方から差し込まれることによって抜止めされている。【００５７】
特許文献１、２記載のインクカートリッジのように、弾性レバーをカートリッジ容器に一体的に形成すると、弾性レバーが損傷したときには全体を交換する必要があるのに対し、弾性レバー３１を上述のような構造にすると、例えば運搬時に弾性レバー３１に衝撃が加わって損傷しても弾性レバー３１のみをすぐに交換すれば対処できる。【００５８】
本例のカートリッジ容器１０にインクを注入する場合、例えば図１２に示されるようにインク注入口２０のゴムキャップ２３を外してエアー通路２４Ａを封鎖した後、インク注入口２０に図１３に示される注入ポンプ４０を差し込み、注入ポンプ４０によってカートリッジ容器１０の本体１１内のエアーを吸い出して本体１１内を負圧の状態とする。このとき、インク供給口部１４は合成樹脂フィルムを貼り付けて封止しておくのがよい。【００５９】
次に、注入ポンプ４０内のインクをインク注入口２０からカートリッジ容器１０の本体１１内に注入する。すると、注入されたインクは第１のインク導入通路２１からインク案内通路１７のインク制御弁室１８と始端１７Ｂとの間の部分に導入され、フィルター室１９のフィルター１９Ｂを通ってインク案内通路１７の始端１７Ｂからカートリッジ容器１０の本体１１内に導入され、仕切り壁１３の連通口１３Ａを経てカートリッジ容器１０の本体１１内の隅々まで円滑に行き渡る。【００６０】
また、注入されたインクの一部は第２のインク導入通路２２からインク案内通路１７のインク制御弁室１８とインク供給口部１４との間の部分に導入され、その部分にインクを充満させる。【００６１】
インクの注入が済むと、ゴムキャップ２３をエアー通路２４Ａから外してインク注入口２０に嵌め込み、インク注入口２０及び第２のインク導入通路２２の始端を封鎖すると、インクの充填が完了する。  【００６２】
インクの注入にあたって注入ポンプ４０のインクはフィルター室１９のフィルター１９Ｂを通ってカートリッジ容器１０の本体１１内に注入されるので、インクに含まれるごみやエアーなどの異物はフィルター１９Ｂによって捕獲され、ごみはインクから分離され、フィルター１９Ｂで捕獲されたエアーは注入ポンプ４０をインク注入口２０から引き抜いたときに大気に解放される。【００６３】
また、第２のインク導入通路２２内にインクを注入するときにインクに混入したエアーは第２のインク導入通路２２の上部に溜まり、注入ポンプ４０をインク注入口２０から引き抜いたときに大気に解放され、こうしてカートリッジ容器１０内のインクのエアーやごみなどの異物を可能なかぎり少なくできる。【００６４】
また、インクにエアーが混ざっていても、エアーは仕切り壁１３の連通口１３Ａを通ってカートリッジ容器１０内のインク液面に向かって上昇し、インクを使い終わるまで、記録ヘッドに供給されない。【００６５】
また、インクが顔料インクの場合に、インク内の顔料がフィルター１９Ｂを通過することによって分散され、インクを所定の色彩に均一にできる。【００６６】
本例のインクカートリッジをキャリッジに搭載すると、インク供給針１６がインク供給口部１４の可撓性シート１４Ｂのスリット１４Ｄ、円筒部材１４Ａの挿通穴及び可撓性シート１４Ｃのスリット１４Ｄに挿通されるが、インク供給針１６は円筒部材１４Ａの挿通穴に密着し、インク供給口部１４及びインク供給針１６は相互にシールされ、周囲にインクが洩れ出ることはない。【００６７】
記録ヘッドがインクを吐出し、記録ヘッドに負圧が発生すると、インク供給針１６からインク供給口部１４及びインク案内通路１７を経てカートリッジ容器１０の本体１１内のインクに負圧が作用し、インクはカートリッジ容器１０の本体１１の底部からインク案内通路１７の始端１７Ｂ、インク供給通路１７を通り、フィルター室１９及びインク制御弁室１８を経てインク供給口部１４から記録ヘッドにインクが供給される。【００６８】
このとき、インク制御弁室１８の制御弁１８Ｄには記録ヘッドからの負圧が作用して制御弁１８Ｄが開くので、インクの流通が許容される。なお、図６及び図７の構造を採用する場合も同様に、記録ヘッドからの負圧が作用して制御弁が開くので、インクの流通が許容される。【００６９】
記録ヘッドの負圧が低下すると、カートリッジ容器１０の本体１１内のインクには一定の大きさ以上の負圧が作用しなくなるので、インクの吸出しは停止される。また、インク制御弁室１８の制御弁１８Ｄには一定の大きさ以上の負圧が作用しないので、制御弁１８Ｄは閉じてインクの逆流は阻止される。【００７０】
本例の場合には制御弁１８Ｄはばね部材などによって付勢されておらず、インク制御弁室１８内において浮遊状態であるが、隔壁１８Ｂの連通孔１８Ｃを実質的に閉鎖しているので、インクの流通は実質的に阻止されることとなる。【００７１】
カートリッジ容器１０内のインクがインク供給口部１４から吸い出されると、カートリッジ容器１０内は減圧された状態となり、エアー制御弁室２５の制御弁２５Ａに負圧が作用して制御弁２５Ａが開放され、エアー室２４内のエアーがエアー制御弁室２５及びエアー通路２６を経てエアー通路２６の始端２６Ａからカートリッジ容器１０内に吸い込まれる。図６及び図７に示される構造の場合も同様である。【００７２】
このとき、エアー室２４には例えば直径１ｍｍの連通穴を介してエアーが吸引され、次ぎにエアー制御弁２５の制御弁２５Ａによってエアーの流れが調整されるので、カートリッジ容器１０内へのエアーの流入に負荷をかけることができる。負荷をかけることによりインク供給針１６よりインクをキャリッジ内に取り込むとき、必要以上のインクの流入をふせぐことができる。【００７３】
また、制御弁２５Ａはばね部材などによって付勢されておらず、エアー制御弁室２５内において浮遊状態であるが、カートリッジ容器１０の本体１１内が一定の圧力になると、制御弁２５Ａは隔壁２５Ｃの連通孔を実質的に閉鎖しているので、エアーの流通は実質的に阻止されることとなる。これによってカートリッジ容器１０の本体１１内の圧力は一定に保持され、記録ヘッドへのインクの供給は安定に制御される。【００７４】
カートリッジ容器１０の本体１１内のインクが使い終わると、カートリッジ容器１０の底部の最低位置に残ったインクだけとなるので、特許文献１、２記載のインクカートリッジに比較してインク残存量を大幅に減少させることができる。【００７５】
インクが使い終わると、カートリッジ容器１０をキャリッジから外し、注入ポンプ４０を使って注入時と同様の操作を行うと、カートリッジ容器１０の本体１１内にインクを再充填することができるので、廃棄する必要はなく、容易にリサイクルできる。【００７６】
なお、再充填時にはインク供給口部１４はフィルムによって封止されていないが、２枚の可撓性シート１４Ｂ、１４Ｃによって封鎖されるので、インク洩れなどを起こすことなくインクを再充填できる。なお、インク洩れが懸念されるときにはインク供給口部１４は粘着テープなどによって封止すればよい。【００７７】
さらに、一つのカートリッジ容器１０に対し、制御ＩＣを搭載した複数種のブロック２８と複数種の補助パーツ２９，３０を選択して組合せることによって多種類のプリンターに適用できるので、複数のプリンター毎に専用のインクカートリッジを準備する必要がなく、その実用的な効果は大きい。【００７８】
図１４ないし図２３は第２の実施形態を示し、図において図１ないし図１３と同一符号は同一又は相当部分を示す。但し、本例では符号に’を付して第１の実施形態と区別するようにしている。図において、カートリッジ容器１０’の本体１１’の一側面には非透液性の合成樹脂フィルムが全面にわたって貼り付けられてシールされ、その上からカバー１２’が嵌め合わされている。【００７９】
カートリッジ容器１０’の本体１１’の内部には補強壁１３’がハ字状に、あるいは上下方向に延びて形成されている。【００８０】
また、  カートリッジ容器１０’の本体１１’の底面にはインク供給口部１４’がセットされ、キャップ１５’によってセットした状態に保持されている。このインク供給口部１４’は図１９に示されるように、リング状の取付けベース１４Ａ’の上面に断面ほぼ弧状をなす例えばシリコンゴム製の可撓性シート１４Ｂ’を一体化して構成され、可撓性シート１４Ｂ’の中央にはスリットが形成され、スリット及び取付けベース１４Ａ’の挿通穴にはキャリッジのインク供給針１６’が挿通されるようになっている。【００８１】
カートリッジ容器１０’の本体１１’の内部には凹溝１７Ａ’が本体１１の底部近傍から上方まで延びた後下方に折り返されて底辺まで延びるように形成され、凹溝１７Ａ’の開口が上述の非透液性の合成樹脂フィルムによってシールされることによりインク案内通路１７’が構成されている。【００８２】
このインク案内通路１７’の一端（終端）はインク供給口部１４’に連通される一方、他端（始端）はカートリッジ容器１０’の本体１１’内の底部近傍に開放端１７Ｂ’によって連通されている。【００８３】
また、インク案内通路１７’の上端折り返し部分には制御弁を内蔵したインク制御弁室１８’が設けられ、インク案内通路１７’はインク制御弁室１８’の中央から横方向に延びた後下方に折り返され、下方折り返し部分の途中にはフィルターを内蔵したフィルター室１９’が設けられている。【００８４】
カートリッジ容器１０’の本体１１’の上面にはインク注入口２０’及び遮断弁取付け穴が開口され、インク注入口２０’にはキャップ２３’が差し込まれ、遮断弁取付け穴には遮断弁２３Ａ’が差し込まれている。遮断弁２３Ａ’及びキャップ２３’は図２０及び図２１に示される形状をなし、遮断弁２３Ａ’は回転されることによって後述の開口３５’３４’の間を連通してエアーの流通を許容し、開口３５’３４’の間の連通を遮断することによってエアーの流通及びインクの逆流を阻止し得るようになっている。【００８５】
インク注入口２０’にはエアー案内通路（兼インク案内通路）２６’の途中が開口３３’を介して接続され、エアー案内通路２６’は下方に延びてＬ字状に折り曲げられ、さらに下方に延びてカートリッジ容器１０’の本体１１’の底部近傍に至り、上方に折り返されて上方に延び、カートリッジ容器１０’の本体１１’の上部近くで開口３２’によってカートリッジ容器１０’の本体１１’の内部に連通されており、エアー案内通路２６’は後述のエアー制御弁室２５’にインクが逆流し難い構造が採用されている。【００８６】
カートリッジ容器１０’の本体１１’の内部上側には図６又は図７に示される構造の制御弁を内蔵したエアー制御弁室２５’が設けられ、エアー制御弁室２５’はエアー導入口２４Ａ’によって大気に連通され、エアー制御弁室２５’には制御弁の弁蓋２５Ｇ’が設けられている。【００８７】
制御弁の弁蓋２５Ｇ’には図１８に示されるように、中央の連通穴から環状に延びて径方向外方に連通するエアー通路が形成され、エアー通路の底部はインク溜まり３８’となっている。また、エアー通路の出口にはエアー案内通路２６’の始端が接続され、始端に続く部分は下方に延びて折り返され、開口３４’、３５’を経てインク溜め３７’に接続され、エアー案内通路２６’のインク溜め３７’から延びる部分は開口３３’を経てインク注入口２０’直下のエアー案内通路２６’に連通されており，インク溜め３７’３８’によってインクが逆流し難い構造となっている。  【００８８】
また、弾性レバー３１’は下端がカートリッジ容器１０’の本体１１’の側面に取付けられ、弾性レバー３１’の中央には弾性片が形成され、弾性片は本体１１’の側面と弾性接触されている。弾性レバー３１’が損傷したときには全体を交換する必要はなく、弾性レバー３１のみをすぐに交換すれば対処できる。【００８９】
本例のカートリッジ容器１０’にインクを注入する場合、例えば図２２及び図２３に示されるように、インク注入口２０’のキャップ２３’を外し、インク注入口２０’に図１３に示される注入ポンプ４０を差し込み、注入ポンプ４０によってカートリッジ容器１０’の本体１１’内のエアーを吸い出して本体１１’内を負圧の状態とする。このとき、エアー案内通路２６’の開口３３’は注入ポンプ４０の先端部分によって封鎖されているので、エアー制御弁室２５’のエアーが吸引されることはない。【００９０】
次に、注入ポンプ４０内のインクをインク注入口２０’からカートリッジ容器１０の本体１１内に注入する。すると、注入されたインクはエアー案内通路２６’を下方に流れた後、上昇して開口３２’からカートリッジ容器１０’の本体１１’内に導入される。【００９１】
機械設備を用いてカートリッジ容器１０’内のエアーを吸引する場合、遮断弁２３Ａ’を回転させて開口３４’、３５’を遮断した後、インク注入口２０’からエアーを吸引してカートリッジ容器１０’内を負圧にし、インクを注入する。【００９２】
このように、エアー制御弁室２５’をエアー導入通路２６’から遮断しているので、誤ってインクがエアー制御弁室２５’側に逆流することはない。【００９３】
インクの注入が済むと、キャップ２３’をインク注入口２０’に嵌め込み、遮断弁２３Ａ’を回転させて開口３４’、３５’を連通させればよい。【００９４】
本例のインクカートリッジをキャリッジに搭載すると、インク供給針１６’がインク供給口部１４’の可撓性シート１４Ｂ’のスリット及び取付けベース１４Ａ’に挿通されるが、インク供給針１６’は取付けベース１４Ａ’の挿通穴に密着し、可撓性シート１４Ｂ’によってシールされるので、周囲にインクが洩れ出ることはない。【００９５】
記録ヘッドがインクを吐出し、記録ヘッドに負圧が発生すると、インク供給針１６’からインク供給口部１４’及びインク案内通路１７’を経てカートリッジ容器１０’内のインクに負圧が作用し、インクはカートリッジ容器１０’の底部からインク案内通路１７’の始端１７Ｂ’、インク案内通路１７’を通り、フィルター室１９’及びインク制御弁室１８’を経てインク供給口部１４’から記録ヘッドにインクが供給される。【００９６】
記録ヘッドの負圧が低下すると、カートリッジ容器１０’内のインクには一定の大きさ以上の負圧が作用しなくなるので、インクの吸出しは停止される。また、インク制御弁室１８’の制御弁には一定の大きさ以上の負圧が作用しないので、制御弁は閉じてインクの逆流は阻止される。【００９７】
カートリッジ容器１０’内のインクがインク供給口部１４’から吸い出されると、カートリッジ容器１０’内は減圧された状態となるので、エアー制御弁室２５’及びエアー案内通路２６’を経て開口３２’からカートリッジ容器１０’内にエアーが供給される。【００９８】
このとき、エアー制御弁室２５’の制御弁はインク供給口部１４’から流出したインク量に対応する量のエアーを取り込み、カートリッジ容器１０’内に供給するので、カートリッジ容器１０’内は常に一定の圧力に保持され、インク洩れを防ぐことができる。【００９９】
また、エアー溜まり３３’、３２’及びエアー導入通路２６’の形状に起因し、インクがエアー制御弁室２５’に向けて逆流することもない。【０１００】
カートリッジ容器１０’の本体１１’内のインクが使い終わると、カートリッジ容器１０’の底部の最低位置に残ったインクだけとなるので、インク残存量を大幅に減少させることができる。【０１０１】
さらに、一つのカートリッジ容器１０’に対し、制御ＩＣを搭載した複数種のブロック２８’と複数種の補助パーツ２９，３０’を選択して組合せることによって多種類のプリンターに適用できるので、複数のプリンター毎に専用のインクカートリッジを準備する必要がなく、その実用的な効果は大きい。
【図１】
2008056736.tif 000003
【図２】
2008056736.tif 000004
【図３】
2008056736.tif 000005
【図４】
2008056736.tif 000006
【図５】
2008056736.tif 000007
【図６】
2008056736.tif 000008
【図７】
2008056736.tif 000009
【図８】
2008056736.tif 000010
【図９】
2008056736.tif 000011
【図１０】
2008056736.tif 000012
【図１１】
2008056736.tif 000013
【図１２】
2008056736.tif 000014
【図１３】
2008056736.tif 000015
【図１４】
2008056736.tif 000016
【図１５】
2008056736.tif 000017
【図１６】
2008056736.tif 000018
【図１７】
2008056736.tif 000019
【図１８】
2008056736.tif 000020
【図１９】
2008056736.tif 000021
【図２０】
2008056736.tif 000022
【図２１】
2008056736.tif 000023
【図２２】
2008056736.tif 000024
【図２３】
2008056736.tif 000025
【国際調査報告】
2008056736.tif 000026
2008056736.tif 000027